(57)【要約】【課題】情報処理装置に使用するドアスイッチやユニットの着脱を検出するスイッチにおいて、部品を最小限とした構成で押し過ぎによるスイッチの破損を防止する。【解決手段】一方端部の押圧により他方端部を回動する支点１５を有するアクチェータ１１と、前記アクチュエータ１１の他方端部をスイッチ２側に付勢するバネ部１３と、前記支点１５と前記バネ部１３の間にスイッチボタン１２とを備え、前記アクチェータ１１の回動によりスイッチボタン１２をオンオフするようにした。【選択図】図１
2011009075.tif 000002
【特許請求の範囲】
【請求項１】
一方端部の押圧により他方端部を回動する支点を有するアクチェータと、
前記アクチュエータの他方端部をスイッチ側に付勢する付勢手段と、
前記支点と前記付勢手段の間にスイッチボタンとを備え、
前記アクチェータの回動によりスイッチボタンをオンオフするようにしたことを特徴とするスイッチ構造。
【請求項２】
前記付勢手段は、前記アクチュエータの略中央部をスイッチ側に付勢し、
前記スイッチボタンは、前記アクチュエータの他方端部に備え、
前記アクチェータの回動によりスイッチボタンをオンオフするようにしたことを特徴とするスイッチ構造。
【請求項３】
請求項１または請求項２記載のスイッチ構造を備え、
着脱可能なユニットの着脱または扉の開閉を検出できるようにしたことを特徴とする情報処理装置。
【発明の詳細な説明】
【技術分野】
【０００１】
本発明は、情報処理機器や事務用機器、ＡＶ機器、媒体処理装置などの情報処理装置に使用するドアスイッチやユニットの着脱を検出するスイッチの構造に関するものである。
【背景技術】
【０００２】
従来、ドアスイッチやユニット着脱検出スイッチ（以下、単に「スイッチ」という）は、許容範囲を超えてドアやユニットを押し込まれた場合、スイッチ自体が破損したり、スイッチを動作させるためのレバーの変形などによってスイッチが動作しなくなったりするといった問題があった。
【０００３】
この問題を解決するために、押圧板により押圧される部材の材質を弾性体とすることにより当該部材の永久変形を防止し、また、押し込み過ぎないようにするための係止部を設けることによりスイッチ本体の破損を防止するようにした技術はあった（例えば、特許文献１参照）。
【先行技術文献】
【特許文献】
【０００４】
【特許文献１】特開２０００−２６０２６１号公報
【発明の概要】
【発明が解決しようとする課題】
【０００５】
しかしながら、上記従来のスイッチ構造では、弾性部材、係止用部材等の部品が必要となり、低価格化や小型化を阻害する要因となっていた。
【課題を解決するための手段】
【０００６】
本発明は、前述の課題を解決するため次の構成を採用する。すなわち、一方端部の押圧により他方端部を回動する支点を有するアクチェータと、前記アクチュエータの他方端部をスイッチ側に付勢する付勢手段と、前記支点と前記付勢手段の間にスイッチボタンとを備え、前記アクチェータの回動によりスイッチボタンをオンオフするようにした。
【発明の効果】
【０００７】
本発明のスイッチ構造によれば、一方端部の押圧により他方端部を回動する支点を有するアクチェータと、前記アクチュエータの他方端部をスイッチ側に付勢する付勢手段と、前記支点と前記付勢手段の間にスイッチボタンとを備え、前記アクチェータの回動によりスイッチボタンをオンオフするようにしたので、部品数を最小限とした構成で、アクチュエータの押し過ぎによるスイッチの破損を防止することができる。
【図面の簡単な説明】
【０００８】
【図１】実施例１のスイッチの構成図である。
【図２】実施例１のスイッチおよび情報処理装置の構成を説明する図である。
【図３】実施例１のスイッチの動作説明図である。
【図４】実施例１のスイッチの動作説明図である。
【図５】実施例２のスイッチの構成である。
【図６】実施例２のスイッチの作用の説明図である。
【発明を実施するための形態】
【０００９】
以下、本発明に係わる実施の形態例を、図面を用いて説明する。図面に共通する要素には同一の符号を付す。
【実施例１】
【００１０】
（構成）
図１は、実施例１のスイッチの構成を示す図である。同図に示したように、実施例１のスイッチ２は、支点１５を支点としてバネ１３の付勢に打ち勝って矢印Ｄ方向に回動するアクチュエータ１１と、アクチュエータ１１により押圧されてオン状態となるスイッチボタン１２と、矢印Ｃ方向に付勢する付勢手段としてのバネ１３と、スイッチボタン１２のオンオフを電気的オンオフとして出力する端子１４から構成される。なお、スイッチボタン１２は比較的弱い付勢力により矢印Ｂのように付勢されている。
【００１１】
図２は、実施例１のスイッチ２を情報処理装置１に備えた外観斜視図である。同図に示したように、情報処理装置１は、後方の保守扉５が開き、例えば、媒体収納ユニット３を情報処理装置１内にセットできるようになっている。
【００１２】
媒体収納ユニット３の先端には、押し棒４が設けられており、媒体収納ユニット３を矢印Ｘ方向にセットすると、押し棒４によりスイッチ２のアクチュエータ１１が押されるようにスイッチ２が配置されている。
【００１３】
（動作）
以上の構成による実施例１のスイッチは以下のように動作する。以下、図３および図４の動作説明図を用いて実施例１のスイッチの動作を説明する。
【００１４】
実施例１のスイッチ２は、図２に示したように情報処理装置１に取り付けられており、媒体収納ユニット３をセットしＸ方向に挿入すると、媒体収納ユニット３に備えられた押し棒４が、図３の位置から図４のように矢印Ｄ方向にスイッチ２のアクチュエータ１１を押し、支点１５を支点として矢印Ｅ方向に回動する。
【００１５】
すると、矢印Ｂのように、スイッチボタン１２がアクチュエータ１１により押された状態から開放状態となりスイッチオフの状態となり、端子１４間がオープンとなる。
【００１６】
一方、媒体収納ユニット３を引き抜くと、図４の位置から図３のように押し棒４がアクチュエータ１１から離れ、矢印Ａ方向に移動するため、アクチュエータ１１がバネ１３により矢印Ｃのようにスイッチ２の本体側に引っ張られ、アクチュエータ１１が支点１５を支点として回動することによりスイッチボタン１２が押され、端子１４間が短絡する。
【００１７】
以上のように、端子１４の短絡または開放を電気的に検知することにより媒体収納ユニット３のセット状態と抜き取り状態を検知することができる。
【００１８】
なお、以上の説明では、媒体収納ユニット３のセットを検出するスイッチとして説明したが、保守扉５等に設けて当該開閉を検出するスイッチの場合にも本発明を適用することができる。
【００１９】
（実施例１の効果）
以上詳細に述べたように実施例１のスイッチ構造によれば、一方端部の押圧により他方端部を回動する支点を有するアクチェータと、前記アクチュエータの他方端部をスイッチ側に付勢するバネ部と、前記支点と前記バネ部の間にスイッチボタンとを備え、前記アクチェータの回動によりスイッチボタンをオンオフするようにしたので、部品数を最小限とした構成で、アクチュエータの押し過ぎによるスイッチの破損を防止することができる。
【実施例２】
【００２０】
（構成）
図５は、実施例２のスイッチの構成を示す図である。同図に示したように、実施例２のスイッチでは、実施例１のスイッチとは、スイッチボタン１２とバネ１３の位置が異なっている。すなわち、アクチュエータ１１の支点１５の近傍にバネ１３を備え、アクチュエータ１１の他方端部にスイッチボタン１２を備えた構成となっている。その他の構成は実施例１の構成と同様であるので、簡略化のためにその説明を省略する。
【００２１】
（動作）
以上の構成による実施例２のスイッチは以下のように作用する。以下、図６の実施例１のスイッチと実施例２のスイッチを比較した動作説明図を用いて実施例２のスイッチの動作を説明する。
【００２２】
まず、図６（ａ）に示したように、実施例１のスイッチ構造では、押し棒４によりアクチュエータ１１を押し、Ｂ方向に付勢されたスイッチボタン１２を確実にオフさせるためには、アクチュエータ１１の支点１５とスイッチボタン１２の距離が短いために長いストロークが必要であった。
【００２３】
一方、実施例２のスイッチ構造では、図６（ｂ）に示したように、アクチュエータ１１の支点１５とスイッチボタン１２の距離が長くなるため、実施例１のスイッチ構造と比し、図中Ｌｙ分、短いストロークでスイッチボタン１２をオフさせることが可能となる。
【００２４】
その他の動作については、実施例１の動作と同様であるので、簡略化のためにその説明を省略する。
【００２５】
（実施例２の効果）
以上詳細に述べたように実施例２のスイッチによれば、一方端部を押すことにより他方端部を回動させる支点を有するアクチェータと、前記アクチュエータの略中央部をスイッチ側に付勢するバネ部と、他方端部にスイッチボタンとを備え、前記アクチェータの回動によりスイッチボタンをオンオフするようにしたので、実施例１の効果に加え、一方端部を押すストロークを短くすることができ、さらに小型化を図ることができる。
【産業上の利用可能性】
【００２６】
以上述べたように、本発明は、ドアスイッチやユニットの着脱を検出するスイッチを用いる情報処理機器や事務用機器、ＡＶ機器、媒体処理装置などの情報処理装置に広く利用することができる。
【符号の説明】
【００２７】
１    情報処理装置
２    スイッチ
３    媒体収納ユニット
４    押し棒
５    保守扉
１１  アクチュエータ
１２  スイッチボタン
１３  バネ
１４  端子
１５  支点
【図１】
2011009075.tif 000003
【図２】
2011009075.tif 000004
【図３】
2011009075.tif 000005
【図４】
2011009075.tif 000006
【図５】
2011009075.tif 000007
【図６】
2011009075.tif 000008